(57)【要約】【課題】テープメディアに記録されたジット情報を誤って放送しないように、テープメディアに記録された素材データを管理することが可能な素材データ管理システム及び素材データファイル化方法を提供する。【解決手段】テープメディア４０に記録されている素材データを構成するクレジット情報及び実データを、それぞれ独立したファイルとして記録部１１３へ記録する。こうすることで、素材データ管理システムは、サーバ１１で素材データのクレジット情報ファイルと実データファイルとを別々に管理することが可能となる。また、サーバ１１に対してオンエア制御が行われた場合には、実データファイルのみをオンエア出力する。これにより、誤操作によるクレジット情報の送出を防ぐことが可能となる。【選択図】      図１
2010219723.tif 000002
【特許請求の範囲】
【請求項１】
クレジット情報の後に実データが収録されて成る素材データが記録されたテープメディアから前記クレジット情報及び前記実データを読み出す読出し部と、
前記テープメディアに記録された前記素材データをファイル化する旨の指示を受けると、前記読出し部に前記クレジット情報を読み出させた後、前記実データを読み出させる制御部と、
ランダムアクセス可能な記録媒体を備え、前記読出し部から読み出されたクレジット情報及び実データをそれぞれファイル化して前記記録媒体へ記録するサーバと
を具備することを特徴とする素材データ管理システム。
【請求項２】
前記テープメディアに複数の素材データが記録されている場合、
前記サーバは、前記ファイル化されて前記記録媒体へ記録されたクレジット情報及び実データを前記素材データ毎に管理することを特徴とする請求項１記載の素材データ管理システム。
【請求項３】
前記読出し部は、前記クレジット情報を予め設定された秒数だけ読み出し、
前記サーバは、前記読み出されたクレジット情報を静止画ファイルにファイル化して前記記録媒体へ記録することを特徴とする請求項１記載の素材データ管理システム。
【請求項４】
前記サーバは、前記記録媒体に記録された素材データを放送する旨の指示があった場合、前記記録媒体に記録された実データのみを出力することを特徴とする請求項１記載の素材データ管理システム。
【請求項５】
操作者からの指示を入力するための操作端末をさらに具備し、
前記サーバは、
前記操作端末から前記クレジット情報が正常に記録されたことを確認する指示があった場合、前記記録媒体に記録されたクレジット情報を出力し、
前記操作端末から前記実データが正常に記録されたことを確認する指示があった場合、前記記録媒体に記録された実データを出力することを特徴とする請求項１記載の素材データ管理システム。
【請求項６】
クレジット情報の後に実データが収録されて成る素材データが記録されたテープメディアに対して、前記素材データをファイル化する旨の指示がある場合、前記クレジット情報を読み出した後に、前記実データを読み出し、
前記読み出したクレジット情報及び実データをそれぞれファイル化してランダムアクセス可能な記録媒体へ記録することを特徴とする素材データファイル化方法。
【請求項７】
前記テープメディアに複数の素材データが記録されている場合、
前記ファイル化されて前記記録媒体へ記録されたクレジット情報及び実データを前記素材データ毎に管理することを特徴とする請求項６記載の素材データファイル化方法。
【請求項８】
前記クレジット情報を予め設定された秒数だけ読み出し、
前記読み出されたクレジット情報を静止画ファイルにファイル化して前記記録媒体へ記録することを特徴とする請求項６記載の素材データファイル化方法。
【請求項９】
前記記録媒体に記録された素材データを放送する旨の指示があった場合、前記記録媒体に記録された実データのみを出力することを特徴とする請求項６記載の素材データファイル化方法。
【請求項１０】
前記クレジット情報が正常に記録されたことを確認する指示があった場合、前記記録媒体に記録されたクレジット情報を出力し、
前記実データが正常に記録されたことを確認する指示があった場合、前記記録媒体に記録された実データを出力することを特徴とする請求項６記載の素材データファイル化方法。
【発明の詳細な説明】
【技術分野】
【０００１】
この発明は、例えば、番組を放送する放送システムに用いられ、収録された素材データをサーバに取り込んで管理する素材データ管理システム及びこのシステムで用いられる素材データファイル化方法に関する。
【背景技術】
【０００２】
放送局において、一日分の送出順序が記載されたプレイリストに従って、放送前にＣＭ素材をビデオテープに記録しておくことをＣＭ一本化という。ＣＭ一本化では、テープにＣＭ素材を記録する際、ＣＭ素材のスポンサー名、尺長及び素材コード等を示すクレジット情報を数秒間収録した後、ＣＭ素材の実データを収録するようにしている。これにより、ＣＭ一本化テープには、クレジット情報と実データとが交互に収録されることとなる。
【０００３】
また、ビデオテープに番組素材を記録する際には、一つの番組素材を、例えば、本編１及び本編２等の複数の実データに分割する。そして、テープに番組素材の番組名及び著作権等を示すクレジット情報を数秒間収録した後、分割した本編の実データを収録する。これにより、テープには、クレジット情報と分割された本編の実データとが交互に収録されることとなる。
【０００４】
上述のように収録されたクレジット情報は、実際に放送されるビデオテープにも実データと連続するように記録されている。そのため、従来の放送システムでは、ビデオテープの再生位置を誤ってしまうと、実データを放送するつもりがクレジット情報まで放送してしまうという問題があった。
【０００５】
なお、特許文献１、特許文献２及び特許文献３では、記録するデータをデータの種類毎に管理する記録再生装置についての提案がなされているが、番組を放送するための放送システムについては記載されていない。
【先行技術文献】
【特許文献】
【０００６】
【特許文献１】特開２００１−１３６４８２号公報
【特許文献２】特開２００２−１９０１８１号公報
【特許文献３】特開２００６−８０７８１号公報
【発明の概要】
【発明が解決しようとする課題】
【０００７】
以上のように、従来の放送システムでは、実際に放送されるビデオテープにクレジット情報が実データと連続するように記録されているため、誤操作によりクレジット情報まで放送されてしまうという問題があった。
【０００８】
この発明は上記事情によりなされたもので、その目的は、テープメディアに記録されたジット情報を誤って放送しないように、テープメディアに記録された素材データを管理することが可能な素材データ管理システム及び素材データファイル化方法を提供することにある。
【課題を解決するための手段】
【０００９】
上記目的を達成するため、本発明に係る素材データ管理システムは、クレジット情報の後に実データが収録されて成る素材データが記録されたテープメディアから前記クレジット情報及び前記実データを読み出す読出し部と、前記テープメディアに記録された前記素材データをファイル化する旨の指示を受けると、前記読出し部に前記クレジット情報を読み出させた後、前記実データを読み出させる制御部と、ランダムアクセス可能な記録媒体を備え、前記読出し部から読み出されたクレジット情報及び実データをそれぞれファイル化して前記記録媒体へ記録するサーバとを具備する。
【００１０】
また、本発明に係る素材データファイル化方法は、クレジット情報の後に実データが収録されて成る素材データが記録されたテープメディアに対して、前記素材データをファイル化する旨の指示がある場合、前記クレジット情報を読み出した後に、前記実データを読み出し、前記読み出したクレジット情報及び実データをそれぞれファイル化してランダムアクセス可能な記録媒体へ記録することを特徴とする。
【００１１】
上記構成による素材データ管理システム及び素材データファイル化方法では、テープメディアに記録されている素材データを構成するクレジット情報及び実データそれぞれを、独立したファイルとしてサーバにおける記録媒体へ記録する。これにより、素材データの再生が指示された場合には、実データのファイルを選択して再生すればよいため、クレジット情報の誤放送を防ぐことが可能となる。
【発明の効果】
【００１２】
この発明によれば、テープメディアに記録されたクレジット情報を誤って放送しないように、テープメディアに記録された素材データを管理することが可能な素材データ管理システム及び素材データファイル化方法を提供することができる。
【図面の簡単な説明】
【００１３】
【図１】本発明の一実施形態に係る素材データ管理システムの機能構成を示すブロック図である。
【図２】図１の素材データ管理システムが素材データをファイル化する際のシーケンス図を示す図である。
【図３】ＣＭ素材が記録されているテープメディアの図である。
【図４】図１の記録部におけるＣＭ素材の管理例を示す図である。
【図５】番組素材が記録されているテープメディアの図である。
【図６】図１の記録部における番組素材の管理例を示す図である。
【図７】番組素材が記録されているテープメディアの図である。
【図８】図１の記録部におけるＣＭ素材の管理例を示す図である。
【発明を実施するための形態】
【００１４】
以下、図面を参照しながら本発明に係る素材データ管理システム及び素材データファイル化方法の実施の形態について詳細に説明する。
【００１５】
図１は、本発明の一実施形態に係る素材データ管理システム１０の機能構成を示すブロック図である。図１における素材データ管理システム１０は、営業放送システム２０及び送出制御部３０と接続する。営業放送システム２０は、テープメディア４０に記録される素材データを指定し、指定した素材データをファイル化させる指示であるファイリング指示を素材データ管理システム１０へ送出する。送出制御部３０は、素材データ管理システム１０のサーバ１１に対するオンエア制御を行う。
【００１６】
素材データ管理システム１０は、読出し部１２、制御ＣＰＵ１３、サーバ１１及びユーザ端末１４を具備する。
【００１７】
読出し部１２は、テープメディア４０を取り込む。テープメディア４０には、１又は複数の素材データが記録される。素材データは、この素材データの識別情報等を示すクレジット情報と、素材データの実データとから成る。読出し部１２は、制御ＣＰＵ１３からのクレジット収録指示を受け取ると、取り込んだテープメディア４０からクレジット情報を１秒程度読み出す。また、読出し部１２は、制御ＣＰＵ１３から実データ収録指示を受け取ると、テープメディア４０から実データを読み出す。
【００１８】
制御ＣＰＵ１３は、営業放送システム２０により指定された素材データのファイリング指示を受け取ると、読出し部１２に対して、指定された素材データのクレジット情報を収録するようにクレジット収録指示を与えた後、指定された素材データの実データを収録するように実データ収録指示を与える。また、制御ＣＰＵ１３は、営業放送システム２０からファイリング指示を受け取ると、サーバ１１へファイリング指示を転送する。制御ＣＰＵ１３は、サーバ１１における素材データのファイル化が完了すると、ファイリング結果を営業放送システム２０へ送出する。
【００１９】
また、制御ＣＰＵ１３には、ユーザの操作指示を入力するためのユーザ端末１４が接続される。ユーザは、ユーザ端末１４からプレビュー指示等を素材データ管理システムに対して入力することが可能である。ここで、プレビュー指示とは、クレジット情報又は実データがサーバ１１に正常に記録されたか否かを確認する指示のことである。プレビュー指示には、クレジット情報のプレビューを指示するクレジットプレビュー指示と、実データのプレビューを指示する実データプレビュー指示とが存在する。制御ＣＰＵ１３は、ユーザ端末１４にクレジットプレビュー指示が入力されると、このクレジットプレビュー指示をサーバ１１へ転送する。また、制御ＣＰＵ１３は、ユーザ端末１４に実データプレビュー指示が入力されると、この実データプレビュー指示をサーバ１１へ転送する。制御ＣＰＵ１３は、サーバ１１における素材データのプレビューが完了すると、プレビュー結果をユーザ端末１４へ送出する。
【００２０】
サーバ１１は、例えばマイクロプロセッサからなるＣＰＵ（Central Processing Unit）１１１を備え、このＣＰＵ１１１にコーデック部１１２及びランダムアクセス可能な半導体メモリから成る記録部１１３がバス１１４を介して接続される。コーデック部１１２は、データの符号化又は復号化を行う。
【００２１】
ＣＰＵ１１１は、制御ＣＰＵ１３からファイリング指示を受けると、テープメディア４０から読み出される素材データ用のディレクトリを作成する。ＣＰＵ１１１は、読出し部１２により読み出されたクレジット情報及び実データをコーデック部１１２でそれぞれファイル化する。このとき、コーデック部１１２は、クレジット情報を静止画ファイルにファイル化する。そして、ＣＰＵ１１１は、ファイル化したクレジット情報ファイル及び実データファイルを素材データ毎のディレクトリに格納して記録部１１３へ記録する。
【００２２】
また、ＣＰＵ１１１は、制御ＣＰＵ１３からのクレジットプレビュー指示を受け取ると、記録部１１３からクレジット情報ファイルを読み出し、コーデック部１１２で復号して外部へ出力する。ＣＰＵ１１１は、制御ＣＰＵ１３からの実データプレビュー指示を受け取ると、記録部１１３から実データファイルを読み出し、コーデック部１１２で復号して外部へ出力する。ＣＰＵ１１１は、クレジット情報及び実データの外部への出力が終了すると、プレビューが完了したとして、その旨を制御ＣＰＵ１３へ返す。
【００２３】
また、ＣＰＵ１１１は、送出制御部３０からオンエア制御を受けると、記録部１１３から実データファイルを読み出し、コーデック部１１２で復号して外部へ出力する。
【００２４】
次に、上記構成における動作を説明する。図２は、本発明の一実施形態に係る素材データ管理システム１０が素材データをファイル化する際のシーケンス図を示す図である。
【００２５】
まず、営業放送システム２０により素材データが選択され、その素材データへのファイリング指示が制御ＣＰＵ１３へ与えられる。
【００２６】
制御ＣＰＵ１３は、ファイリング指示を受けると、サーバ１１へファイリング指示を出力する。そして、制御ＣＰＵ１３は、指定された素材データのクレジット情報を読み出すように、読出し部１２へクレジット収録指示を与える。読出し部１２は、クレジット収録指示に従って、クレジット情報を１秒程度読み出し、サーバ１１へ出力する。サーバ１１は、クレジット情報を静止画ファイルにファイル化し、このクレジット情報ファイルを指定された素材データ用のディレクトリに格納して記録部１１３へ記録する。
【００２７】
続いて、制御ＣＰＵ１３は、指定された素材データの実データを読み出すように、読出し部１２へ実データ収録指示を与える。読出し部１２は、実データ収録指示に従って、実データを読み出し、サーバ１１へ出力する。サーバ１１は、実データをファイル化し、この実データファイルを指定された素材データ用のディレクトリに格納して記録部１１３へ記録する。
【００２８】
さらに、営業放送システム２０から、テープメディア４０に記録された他の素材データのファイリング指示が与えられた場合、素材データ管理システム１０は上述の処理を再度実行し、ファイリング指示が与えられた素材データのファイリングを行う。これにより、新たに指定された素材データ用のディレクトリに、この素材データのクレジット情報ファイル及び実データファイルが格納されて記録部１１３へ記録されることとなる。
【００２９】
次に、素材データのクレジット情報及び実データがファイル化されて記録部１１３へ記録される際の具体例を説明する。図３はＣＭ素材が記録されているテープメディア４０の模式図であり、図４は記録部１１３におけるＣＭ素材の管理例を示す模式図である。
【００３０】
図３におけるテープメディア４０は、ＣＭ素材Ａ，Ｂ，Ｃから成り、各ＣＭ素材におけるＣＭ実データの先頭にはクレジット情報が数秒程度付加される。クレジット情報は、スポンサー名、尺長及び素材コード等を示す。
【００３１】
営業放送システム２０からのＣＭ素材Ａのファイリング指示が制御ＣＰＵ１３へ与えられると、制御ＣＰＵ１３は読出し部１２及びサーバ１１を制御し、図４に示すように、ＣＭ素材Ａのディレクトリにクレジット情報ファイル及びＣＭ実データファイルを格納して記録部１１３へ記録する。
【００３２】
また、営業放送システム２０からのＣＭ素材Ｂのファイリング指示が制御ＣＰＵ１３へ与えられると、制御ＣＰＵ１３は読出し部１２及びサーバ１１を制御し、図４に示すように、ＣＭ素材Ｂのディレクトリにクレジット情報ファイル及びＣＭ実データファイルを格納して記録部１１３へ記録する。
【００３３】
図５は番組素材が記録されているテープメディア４０の模式図であり、図６は記録部１１３における番組素材の管理例を示す模式図である。
【００３４】
図５におけるテープメディア４０は、番組が分割された本編素材Ａ，Ｂ，Ｃから成り、各本編素材は各本編実データの先頭にクレジット情報が数秒程度付加されることにより成る。クレジット情報は、番組名及び著作権等を示す。
【００３５】
営業放送システム２０からの本編素材Ａのファイリング指示が制御ＣＰＵ１３へ与えられると、制御ＣＰＵ１３は読出し部１２及びサーバ１１を制御し、図６に示すように、本編素材Ａのディレクトリにクレジット情報ファイル及び本編実データファイルを格納して記録部１１３へ記録する。
【００３６】
営業放送システム２０からの本編素材Ｂのファイリング指示が制御ＣＰＵ１３へ与えられると、制御ＣＰＵ１３は読出し部１２及びサーバ１１を制御し、図６に示すように、本編素材Ｂのディレクトリにクレジット情報ファイル及び本編実データファイルを格納して記録部１１３へ記録する。
【００３７】
図７は番組素材が記録されているテープメディア４０の模式図であり、図８は記録部１１３におけるＣＭ素材の管理例を示す模式図である。
【００３８】
図５とは異なり、図７におけるテープメディア４０に記録される番組素材の番組実データは分割されていない。つまり、テープメディア４０には、番組実データの先頭に数秒程度のクレジット情報が付加された番組素材が記録されている。
【００３９】
営業放送システム２０から番組素材のファイリング指示が制御ＣＰＵ１３へ与えられると、制御ＣＰＵ１３は読出し部１２及びサーバ１１を制御し、図８に示すように、番組素材のディレクトリにクレジット情報ファイル及び番組実データファイルを格納して記録部１１３へ記録する。
【００４０】
以上のように、上記一実施形態では、テープメディア４０に記録されている素材データを構成するクレジット情報及び実データを、それぞれ独立したファイルとして記録部１１３へ記録する。こうすることで、素材データ管理システムは、サーバ１１で素材データのクレジット情報ファイルと実データファイルとを別々に管理することが可能となる。また、サーバ１１に対してオンエア制御が行われた場合には、実データファイルのみをオンエア出力するようにしている。これにより、誤操作によるクレジット情報の送出を防ぐことが可能となる。
【００４１】
また、上記一実施形態では、クレジット情報ファイル及び実データファイルを素材データ毎のディレクトリに格納して管理するようにしている。これにより、各素材データのクレジット情報ファイル又は実データファイルにアクセスすることが容易になる。
【００４２】
また、上記一実施形態では、クレジット情報を静止画ファイルにファイル化することで、実データファイルとは異なるファイル形式にするようにしている。これにより、誤操作によるクレジット情報の放送をより効果的に防ぐことが可能となる。
【００４３】
したがって、本発明に係る素材データ管理システムは、テープメディアに記録されたクレジット情報を誤って放送しないように、テープメディアに記録された素材データを管理することができる。
【００４４】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００４５】
１０…素材データ管理システム
１１…サーバ
１１１…ＣＰＵ
１１２…コーデック部
１１３…記録部
１１４…バス
１２…読出し部
１３…制御ＣＰＵ
１４…ユーザ端末
２０…営業放送システム
３０…送出制御部
４０…テープメディア
【図１】
2010219723.tif 000003
【図２】
2010219723.tif 000004
【図３】
2010219723.tif 000005
【図４】
2010219723.tif 000006
【図５】
2010219723.tif 000007
【図６】
2010219723.tif 000008
【図７】
2010219723.tif 000009
【図８】
2010219723.tif 000010